(57)【要約】【課題】陳列室の下方に配置された機械類のメンテナンス性を向上させる。【解決手段】ショーケースは、前側からアクセス可能な陳列室を有するショーケースであって、前記陳列室の下側に配置され、冷媒を凝縮させる凝縮器と、前記凝縮器の左側又は右側に配置され、ドレンを蒸発させるドレン蒸発装置と、前記凝縮器側から前記ドレン蒸発装置側に空気を送る送風機と、を備える。【選択図】図２
2019219132.tif 000002
【特許請求の範囲】
【請求項１】
前側からアクセス可能な陳列室を有するショーケースであって、
前記陳列室の下側に配置され、冷媒を凝縮させる凝縮器と、
前記凝縮器の左側又は右側に配置され、ドレンを蒸発させるドレン蒸発装置と、
前記凝縮器側から前記ドレン蒸発装置側に空気を送る送風機と、
を備える、ショーケース。
【請求項２】
前記ドレン蒸発装置は、前記凝縮器から独立して、前側に引き出し可能である、
請求項１に記載のショーケース。
【請求項３】
前記陳列室の下方に配置され、前記ショーケースの前面を構成し、前側通気部を有する前側板部材を更に備え、
前記ドレン蒸発装置が前記凝縮器の左側に配置されている場合、前記凝縮器は前側ほど前記ショーケースの右端から離れるように配置され、
前記ドレン蒸発装置が前記凝縮器の右側に配置されている場合、前記凝縮器は前側ほど前記ショーケースの左端から離れるように配置されている、
請求項１または２に記載のショーケース。
【請求項４】
前記送風機は、前記凝縮器と前記ドレン蒸発装置との間に配置されている、
請求項１から３の何れかに記載のショーケース。
【請求項５】
前記送風機と前記ドレン蒸発装置との間に配置された整流板を更に備える、
請求項１から４の何れかに記載のショーケース。
【請求項６】
前記整流板は、水平面に対する傾斜角度が互いに異なる第１部分及び第２部分を有する、
請求項５に記載のショーケース。
【請求項７】
前記送風機は、前記凝縮器及び前記ドレン蒸発装置から独立して、前側に引き出し可能である、
請求項１から６の何れかに記載のショーケース。
【請求項８】
前記ショーケースの右側面を構成し、前記陳列室よりも下側に位置する右側通気部を有する右側板部材を更に備え、
前記ドレン蒸発装置は、前記凝縮器の左側に配置されている、
請求項１から７の何れかに記載のショーケース。
【請求項９】
前記ショーケースの左側面を構成し、前記陳列室よりも下側に位置する左側通気部を有する左側板部材を更に備え、
前記ドレン蒸発装置は、前記凝縮器の右側に配置されている、
請求項１から７の何れかに記載のショーケース。
【発明の詳細な説明】
【技術分野】
【０００１】
本発明は、商品を冷蔵及び冷凍しながら陳列するショーケースに関する。
【背景技術】
【０００２】
コンビニエンスストアやスーパーマーケット等に設置されるショーケースにおいて、商品が陳列される陳列室の下方の機械室に、冷凍ユニットの主な構成要素を内蔵したユニット内蔵型のものが知られている（例えば特許文献１）。
【先行技術文献】
【特許文献】
【０００３】
【特許文献１】特開２０１６−１６９９０３号公報
【発明の概要】
【発明が解決しようとする課題】
【０００４】
ショーケースの使い勝手を良くするためには、陳列室の下方に冷凍ユニットの構成要素等の機械類を配置する必要がある。また、配置場所に関わらず、機械類のメンテナンスは必要である。
【０００５】
本発明はこのような状況に鑑みなされたものであり、陳列室の下方に配置された機械類のメンテナンス性を向上させることを課題としている。
【課題を解決するための手段】
【０００６】
本発明に係るショーケースは、前側からアクセス可能な陳列室を有するショーケースであって、前記陳列室の下側に配置され、冷媒を凝縮させる凝縮器と、前記凝縮器の左側又は右側に配置され、ドレンを蒸発させるドレン蒸発装置と、前記凝縮器側から前記ドレン蒸発装置側に空気を送る送風機と、を備える。
【発明の効果】
【０００７】
本発明によれば、機械類のメンテナンス性に優れたショーケースを提供することができる。
【図面の簡単な説明】
【０００８】
【図１】第１の実施形態に係るショーケースの斜視図。
【図２】機械室内部の平面図。
【図３】機械室内部の斜視図。
【図４】ドレン蒸発装置及びドレン加熱装置の斜視図。
【図５Ａ】ドレン蒸発装置が引き出される前の機械室の状態を示す図。
【図５Ｂ】ドレン蒸発装置が引き出された後の機械室の状態を示す図。
【図６】第２の実施形態に係るショーケースの斜視図。
【図７】第２の実施形態に係るショーケースの配置例を示す図。
【発明を実施するための形態】
【０００９】
以下、本発明の実施の形態について、図面を用いて詳細に説明する。
【００１０】
（第１の実施形態）
図１は、第１の実施形態に係るショーケース１の斜視図である。ショーケース１は、食品又は飲料等の商品を陳列する陳列室Ｒを有している。陳列室Ｒの内部には、複数の陳列棚１１が配置されている。また、陳列室Ｒの最下部には、デックパン１２が配置されている。陳列棚１１及びデックパン１２の上に、商品が陳列される。
【００１１】
陳列室Ｒは、少なくとも前側が開放されている。陳列室Ｒは、前側からアクセスが可能である。すなわち、顧客や作業員等、ショーケース１に正対する者は、ショーケース１の前側から、陳列室Ｒの内部に陳列された商品にアクセス可能である。
【００１２】
なお、本実施形態に係るショーケース１が有する陳列室Ｒは、左側及び右側も開放されており、左側及び右側からもアクセス可能となっている。もちろん、陳列室Ｒに前側のみからアクセス可能となっていても良い。また、ショーケース１が前側に図示しない扉またはのれん等を有しており、扉またはのれん等を開くことで、陳列室Ｒに前側からアクセス可能となっていても良い。
【００１３】
ここで、本実施の形態の説明における左側あるいは右側なる記載は、ショーケースそのものの左側あるいは右側を意味する。すなわちショーケース１の後ろ側からショーケース１を見た場合の左側あるいは右側を意味している。
【００１４】
ショーケース１の右側には、ショーケース１の右側面を構成する右側板部材１３が配置されている。また、ショーケース１の左側には、ショーケース１の左側面を構成する左側板部材１４が配置されている。
【００１５】
ショーケース１の上部には、機械類を覆うカバー１５が配置されている。カバー１５の内部は、上側機械室になっている。上側機械室には、例えば、冷凍サイクルを構成する圧縮機（不図示）等が配置されている。
【００１６】
ショーケース１の下側、具体的には、デックパン１２の下には、機械室が配置されている。機械室の前側には、前側板部材１６が配置されている。前側板部材１６は、陳列室Ｒの下方に配置され、ショーケース１の前面を構成している。前側板部材１６は、マグネット等の着脱機構により、ショーケース１本体に対して容易に着脱可能となっている。
【００１７】
前側板部材１６は、前側通気部１７を有している。前側通気部１７は、鋼板製である前側板部材１６をプレス加工して形成された複数の開口によって構成されている。なお、前側通気部１７は、機械室の内側と外側との間で空気が流通できる構造となっていればどのような構造であっても良く、例えば、金属製の網であっても良いし、樹脂又は紙製のフィルターであっても良い。
【００１８】
図２は、機械室内部の平面図である。図３は、機械室内部の斜視図である。また、図４は、ドレン蒸発装置３０及びドレン加熱装置５０の斜視図である。
【００１９】
機械室の底部には、底板１８が配置されている。底板１８は、ショーケース１本体に対して固定されている。底板１８の上面には、ガイドレール１９が取り付けられている。ガイドレール１９については後に詳述する。
【００２０】
底板１８の上、且つ、右側には、凝縮器２０が配置されている。凝縮器２０の左側には、ドレン蒸発装置３０が配置されている。凝縮器２０とドレン蒸発装置３０との間には、送風機４０が配置されている。送風機４０とドレン蒸発装置３０との間には、ドレン加熱装置５０が配置されている。さらに、送風機４０とドレン加熱装置５０との間には、整流板６０が配置されている。
【００２１】
凝縮器２０は、圧縮機によって圧縮され高温になった冷媒とその周囲を流れる空気との間で熱交換し、冷媒を凝縮させる熱交換器である。逆に言うと、凝縮器２０は、その周囲を流れる空気を加熱する。
【００２２】
凝縮器２０は、前側ほど、ショーケース１の右端、つまり、右側板部材１３（図１参照）から離れるように配置されている。凝縮器２０は、底板１８に固定されている。
【００２３】
ドレン蒸発装置３０は、商品を冷蔵又は冷凍した状態で陳列する陳列室Ｒの周辺で発生したドレン（結露水及び除霜水）を蒸発させる装置である。ドレン蒸発装置３０は、ドレンをためるドレン皿３１と、ドレンを吸収し蒸発させる複数の蒸発促進部材３２とから構成される。蒸発促進部材３２は、上側が露出した状態で、ドレン皿３１の内部に配置されている。蒸発促進部材３２は、例えば紙で構成された板状部材である。
【００２４】
ドレン蒸発装置３０は、凝縮器２０と同様、前側ほど、ショーケース１の右端、つまり、右側板部材１３（図１参照）から離れるように配置されている。言い換えると、ドレン蒸発装置３０の延在方向と凝縮器２０の延在方向とは、互いに平行であり、且つ、前側板部材１６の延在方向に対して傾斜している。
【００２５】
送風機４０は、一列に並んだ複数の直流ファンで構成されている。送風機４０は、凝縮器２０側から空気を吸い込み、ドレン蒸発装置３０側に向けて空気を吐出する。つまり、送風機４０は、凝縮器２０側からドレン蒸発装置３０側に向かう空気の流れを作り出す。なお、そのような流れを作り出すことができれば、送風機４０の配置位置はどこにあっても良い。送風機４０は、底板１８の上に固定されている。
【００２６】
ドレン加熱装置５０は、ショーケース１で発生したドレンを貯留し、加熱することで、ドレンの一部を蒸発させ、且つ、ドレン蒸発装置３０でのドレン蒸発を促進させる部材である。
【００２７】
ドレン加熱装置５０は、加熱用ドレン皿５１と、冷媒配管５２とから構成されている。加熱用ドレン皿５１は、陳列室Ｒの周辺で発生したドレンを集める樋（不図示）の下方に配置されており、樋によって集められたドレンを貯留する。加熱用ドレン皿５１の内部には、圧縮機や凝縮器２０等によって構成される冷凍サイクル中を循環する冷媒が通過する冷媒配管５２が配置されている。冷媒配管５２を通過する冷媒は、圧縮機から吐出された後、凝縮器２０に流入する前の冷媒であり、高温である。
【００２８】
加熱用ドレン皿５１に貯留されたドレンは、冷媒配管５２によって加熱され、部分的に蒸発する。また、加熱用ドレン皿５１に貯留されたドレンは、貯留量が多くなると、ドレン皿３１に向けてオーバーフローする。このとき、ドレンは加熱されているので、ドレン蒸発装置３０において、より蒸発しやすい状態となっている。
【００２９】
加熱用ドレン皿５１及び冷媒配管５２は、底板１８の上に固定されている。
【００３０】
加熱用ドレン皿５１、及び、ガイドレール１９は、ドレン皿３１を挟むように配置されている。また、加熱用ドレン皿５１の延在方向、及び、ガイドレール１９の延在方向は、ドレン皿３１の延在方向と平行である。よって、後に説明するようにドレン皿３１を前側に引き出す際、加熱用ドレン皿５１及びガイドレール１９は、ドレン皿３１を引き出し方向にガイドする。
【００３１】
整流板６０は、凝縮器２０からドレン蒸発装置３０に向かう空気の流れを整え、より効果的に空気が蒸発促進部材３２の周囲を流れるようにするための部材である。
【００３２】
整流板６０は、前側の第１整流板６１と後側の第２整流板６２とから構成されている。第１整流板６１と第２整流板６２は、水平面、すなわち、底板１８に対する傾斜角度が互いに異なる。具体的には、第１整流板６１の方が、第２整流板６２よりも水平面に対する傾斜角度が大きくなっている。
【００３３】
以上のように機器が配置された機械室の内部においては、次のような現象が生じる。
【００３４】
まず、樋によって集められたドレンが、加熱用ドレン皿５１の内部に貯留される。このドレンは、冷媒配管５２によって加熱され、一部が蒸発する。蒸発しなかったドレンは、加熱用ドレン皿５１からドレン皿３１にオーバーフローする。
【００３５】
ドレン皿３１内のドレンは、蒸発促進部材３２に吸収される。すなわち、蒸発促進部材３２は、その内部にドレンが満たされた状態となる。
【００３６】
送風機４０が稼働することで、機械室内に空気の流れが生じる。前側通気部１７（図１参照）を通過して空気が外部から機械室に入り込む。この空気は、凝縮器２０の周囲を流れ加熱される。その後、空気は送風機４０を通過し、整流板６０によって整流され、ドレン蒸発装置３０に達する。このとき、空気は、蒸発促進部材３２の周囲を流れ、蒸発促進部材３２内に満たされているドレンを蒸発させ、蒸発したドレンを同伴してショーケース１の後方から外部に排出される。
【００３７】
凝縮器２０の上流側に、前側板部材１６（図１参照）、右側板部材１３（図１参照）及び凝縮器２０によって少なくとも部分的に取り囲まれる、平面視で三角形状又は台形状の空間が形成されている。よって、送風機４０は、前側通気部１７を介して、外部から空気をスムーズに吸い込むことができる。言い換えると、凝縮器２０及びドレン蒸発装置３０等を、前側板部材１６に対して傾斜した状態で配置することによって、凝縮器２０の右側に十分に広い空間を確保することができ、吸気効率を上げることができる。
【００３８】
なお、前側通気部１７は、凝縮器２０よりも右側つまり空気の流線上の上流側であれば、どこに設けられていても良く、前側板部材１６の全体に設けられていても良いし、凝縮器２０よりも右側に位置する部分のみに設けられていても良い。
【００３９】
また、ドレン蒸発装置３０の下流側に、左側板部材１４（図１参照）及びドレン蒸発装置３０によって少なくとも部分的に取り囲まれる、平面視で三角形状又は台形状の空間が形成されている。よって、送風機４０は、ドレン蒸発装置３０よりも下流側、具体的には、ドレン蒸発装置３０と左側板部材１４との間で空気を滞留させることなく、後方の開口部を介して空気をスムーズに外部に排出することができる。言い換えると、凝縮器２０及びドレン蒸発装置３０等を、前側板部材１６に対して傾斜した状態で配置することによって、ドレン蒸発装置３０の左側に十分に広い空間を確保することができ、排気効率を上げることができる。
【００４０】
なお、前側に配置されている第１整流板６１は、後側に配置されている第２整流板６２よりも、水平面に対する傾斜角度が大きい。逆に言うと、後側に配置されている第２整流板６２は、前側に配置されている第１整流板６１よりも、水平面に対する傾斜角度が小さい。よって、前側通気部１７を介して前側から機械室内に吸い込まれた空気が、機械室の中で、前寄り部分で多く流れ後寄り部分で少なく流れるという空気の流れの偏りが発生することを防止することができる。すなわち、より効率的に空気を流し、加熱し、ドレンを蒸発させることができる。
【００４１】
また、ドレン蒸発装置３０が引き出される前の機械室の状態を示す図５Ａから明らかなように、ドレン蒸発装置３０の前側には、前側板部材１６以外の部材がない。よって、前側板部材１６をショーケース１から取り外すだけで、ドレン蒸発装置３０を、他の装置、例えば凝縮器２０から独立して、ショーケース１の前側に容易に引き出すことができる。ドレン蒸発装置３０が引き出された後の機械室の状態が図５Ｂに示されている。
【００４２】
よって、本実施形態に係るショーケース１においては、ドレン蒸発装置３０のみを前側に引き出して、ドレン蒸発装置３０のメンテナンスを非常に容易に行うことができる。
【００４３】
また、ドレン蒸発装置３０と、ガイドレール１９及び加熱用ドレン皿５１との間には、わずかな隙間が形成されている。よって、ガイドレール１９及び加熱用ドレン皿５１に沿ってある程度引き出した後は、左側板部材１４（図１参照）と平行な方向に、ドレン蒸発装置３０を引き出すことが可能である。よって、ショーケース１の左側が、ショーケース１を設置する部屋の壁面に接していても、ドレン蒸発装置３０を前側に引き出すことができる。
【００４４】
（変形例）
なお、機械室内の機器の配置は、これまでに説明したものとは左右対称となっていても良い。すなわち、凝縮器２０が機械室の左側に配置されており、ドレン蒸発装置３０が凝縮器２０の右側に配置されていても良い。
【００４５】
この場合、左側から順に、凝縮器２０、送風機４０、整流板６０、ドレン加熱装置５０、ドレン蒸発装置３０及びガイドレール１９が配置されており、凝縮器２０は前側ほどショーケース１の左端から離れるように配置される。また、この場合、前側板部材１６（図１参照）、左側板部材１４（図１参照）及び凝縮器２０によって少なくとも部分的に取り囲まれる、平面視で三角形状又は台形状の空間が形成される。また、この場合、右側板部材１３（図１参照）及びドレン蒸発装置３０によって少なくとも部分的に取り囲まれる、平面視で三角形状又は台形状の空間が形成される。
【００４６】
このように機器が配置されていても、図１〜図５Ｂを参照しながら説明したショーケース１と同様の効果が得られる。
【００４７】
また、送風機４０は、凝縮器２０及びドレン蒸発装置３０から独立して、前側に引き出し可能となるように、底板１８上に配置されていても良い。この場合、送風機４０のみを前側に引き出して、送風機４０のメンテナンスを非常に容易に行うことができる。
【００４８】
（第２の実施形態）
次に、図６及び図７を参照しながら、第２の実施形態に係るショーケース２について説明する。図６は、第２の実施形態に係るショーケース２の斜視図である。また、図７は、第２の実施形態に係るショーケース２の配置例を示す図である。
【００４９】
本実施の形態の説明においても、左側あるいは右側なる記載は、ショーケースそのものの左側あるいは右側を意味する。すなわちショーケース２の後ろ側からショーケース２を見た場合の左側あるいは右側を意味している。
【００５０】
図６に示されるように、本実施形態に係るショーケース２の右側板部材１３は、右側通気部１３ａを有している。右側通気部１３ａは、陳列室Ｒよりも下側に位置している。すなわち、右側通気部１３ａを介して、空気が外部から機械室に流入可能である。他の構成は、第１の実施形態に係るショーケース１と同様に構成されている。
【００５１】
本実施形態に係るショーケース２は、図７に示されるように、従来型のショーケース７の左側に隣接して配置することができる。従来型のショーケース７とは、陳列室Ｒの下に、脚部を有するものの、機械が配置された機械室を有していないショーケースである。つまり、従来型のショーケース７の最下部には、外部との通気が自在な空間が広がっている。なお、従来型のショーケース７の右側には側板７０が配置されており、左側には板状の部材は配置されていない。
【００５２】
図７に示されるように配置された場合、本実施形態に係るショーケース２の機械室内を、空気は右側から左側に向けて、何ら支障なく、流れることができる。この場合、空気の流れが右側から左側へ直線状に流れることになるので、第１の実施形態に係るショーケース１と比較してさらに吸気効率が上がる。ひいては、凝縮器の放熱量が増加し、そのため、省エネルギー効果も向上する。
【００５３】
（変形例）
なお、ショーケース２の左側面を構成する左側板部材１４は、陳列室Ｒよりも下側に位置する左側通気部（不図示）を有する場合、凝縮器２０が機械室の左側に配置されており、ドレン蒸発装置３０が凝縮器２０の右側に配置されていても良い。この場合、本実施形態に係るショーケース２を、従来型のショーケース７の右側に隣接して配置することができる。ただし、この場合、従来型のショーケース７の側板７０は、従来型のショーケース７の左側に配置する必要がある。
【００５４】
また、本実施形態においては、右側板部材１３が有する右側通気部１３ａまたは左側板部材１４が有する左側通気部（不図示）を介して、外部から機械室に空気が吸い込まれる。よって、必ずしも凝縮器２０及びドレン蒸発装置３０は、傾斜して配置されていなくても良い。つまり、本実施形態に係るショーケース２においては、凝縮器２０の延在方向及びドレン蒸発装置３０の延在方向は、前側板部材１６（図１参照）の延在方向に対して直交していても良い。言い換えると、凝縮器２０、ドレン蒸発装置３０、送風機４０、ドレン加熱装置５０及び整流板６０は、右側板部材１３及び左側板部材１４と平行な方向に延在していても良い。
【００５５】
このように機器が配置されていても、送風機４０は、凝縮器２０からドレン蒸発装置３０に向かう気流を発生させることができる。また、この気流は、ドレン蒸発装置３０においてドレンを蒸発させることができる。さらに、ドレン蒸発装置３０を、凝縮器２０とは独立して単独で前側に引き出して、非常に容易にメンテナンスを行うことができる。
【００５６】
なお、本発明が、これまでに具体的に説明されたものに限られず、各実施形態で説明された具体的構成を種々変更したり組み合わせたりすることができることは勿論である。
【産業上の利用可能性】
【００５７】
本発明は、ショーケースに広く利用可能である。
【符号の説明】
【００５８】
１、２、７  ショーケース
１１  陳列棚
１２  デックパン
１３  右側板部材
１３ａ  右側通気部
１４  左側板部材
１５  カバー
１６  前側板部材
１７  前側通気部
１８  底板
１９  ガイドレール
２０  凝縮器
３０  ドレン蒸発装置
３１  ドレン皿
３２  蒸発促進部材
４０  送風機
５０  ドレン加熱装置
５１  加熱用ドレン皿
５２  冷媒配管
６０  整流板
６１  第１整流板
６２  第２整流板
７０  側板
Ｒ  陳列室
【図１】
2019219132.tif 000003
【図２】
2019219132.tif 000004
【図３】
2019219132.tif 000005
【図４】
2019219132.tif 000006
【図５Ａ】
2019219132.tif 000007
【図５Ｂ】
2019219132.tif 000008
【図６】
2019219132.tif 000009
【図７】
2019219132.tif 000010